(57)【要約】【課題】電子機器本体側の操作子による操作が不可能となった場合でも、電子機器の処理を実行させることができる装着ボードおよび電子機器を提供する。【解決手段】本体側操作子３６を備えたプリンター本体２に対し、着脱可能に構成された装着ボード３であって、プリンター本体２に接続するためのプリンター用インターフェイス２３と、本体側操作子３６の代用として用いられるボード側操作子２２と、ボード側操作子の操作にしたがって、プリンター本体２を制御するＣＰＵ２４と、を備えたものである。【選択図】図２
2011194780.tif 000002
【特許請求の範囲】
【請求項１】
操作子を備えた電子機器本体に対し、着脱可能に構成された装着ボードであって、
前記電子機器本体に接続するためのインターフェイスと、
前記電子機器本体に備えられた操作子である本体側操作子の代用として用いられるボード側操作子と、
前記ボード側操作子の操作にしたがって、前記電子機器本体を制御する操作制御部と、を備えたことを特徴とする装着ボード。
【請求項２】
前記電子機器本体は、複数の本体側操作子を備えており、
前記ボード側操作子は、１のスイッチにより構成され、
前記操作制御部は、前記１のスイッチの操作の仕方により、代用する前記本体側操作子を可変することを特徴とする請求項１に記載の装着ボード。
【請求項３】
前記操作制御部は、前記１のスイッチの押下間隔、押下強度、押下時間、連続押下回数、前記電子機器本体に搭載された本体側操作子との同時押下、のうち少なくとも１の要因により、代用する前記本体側操作子を可変することを特徴とする請求項２に記載の装着ボード。
【請求項４】
操作者または操作内容を示す操作情報を取得する操作情報取得部をさらに備え、
前記操作制御部は、前記操作情報取得部により取得した操作情報に応じて、前記電子機器本体の制御を行うか否かを可変することを特徴とする請求項１ないし３のいずれか１項に記載の装着ボード。
【請求項５】
請求項１ないし４のいずれか１項に記載の装着ボードを装着可能な電子機器であって、
前記本体側操作子と、
前記本体側操作子の操作にしたがって、前記電子機器本体を制御する本体側制御部と、を備えたことを特徴とする電子機器。
【請求項６】
前記電子機器本体の動作状況を判別する動作状況判別部と、
前記動作状況判別部の判別結果を出力する動作状況出力部と、をさらに備えたことを特徴とする請求項５に記載の電子機器。
【請求項７】
前記動作状況判別部は、前記装着ボードから前記操作制御部の操作信号を受信したとき、本体の動作状況を判別し、
前記本体側制御部は、前記動作状況判別部の判別結果に応じて、前記操作信号を前記本体側操作子による操作信号と同様の扱いとするか否かを決定することを特徴とする請求項６に記載の電子機器。
【発明の詳細な説明】
【技術分野】
【０００１】
本発明は、本体操作子を有する電子機器に対し、着脱可能に構成された装着ボード、および当該装着ボードが装着される電子機器に関するものである。
【背景技術】
【０００２】
通常、電子機器は電子機器本体に設置されている操作子を操作することで、様々な動作を実行している。例えば、特許文献１に記載のプリンターは、スタンドアロンモード、オンラインモードといった複数の動作モードを有するプリンターであって、本体に備え付けられたモード切替スイッチによって、動作モードを切替えられるようになっている。また、動作モードがスタンドアロンモードの時には、プリンターに設けられた手入力部によって一切の操作を行うようになっている。
【先行技術文献】
【特許文献】
【０００３】
【特許文献１】特開２００５−４７２１８号公報
【発明の概要】
【発明が解決しようとする課題】
【０００４】
しかしながら、このようなプリンターに何らかの不具合が発生した場合、操作子による操作が不能となり、モード変更ができなくなってしまう。このため、本来は用途によってモードを切替えて使用されるものが、意図的にモード変更ができなくなるため、作業に不都合が生じる。また、スタンドアロンモードのように、外部からの指令を受け付けない動作モードでは、一切の操作が行えないため、作業を停止してシステム起動し直すしかなく、作業効率が悪化してしまう。
【０００５】
本発明は、上記の問題点に鑑み、電子機器本体側の操作子による操作が不可能となった場合でも、電子機器の処理を実行させることができる装着ボードおよび電子機器を提供することを課題とする。
【課題を解決するための手段】
【０００６】
本発明の装着ボードは、操作子を備えた電子機器本体に対し、着脱可能に構成された装着ボードであって、電子機器本体に接続するためのインターフェースインターフェイスと、電子機器本体に備えられた操作子である本体側操作子の代用として用いられるボード側操作子と、ボード側操作子の操作にしたがって、電子機器本体を制御する操作制御部と、を備えたことを特徴とする装着ボード。
【０００７】
この構成によれば、電子機器本体に何らかの異常が生じて、電子機器本体に備え付けられた本体側操作子による機器の操作が不可能になった場合にも、装着ボードに備えられたボード側操作子の操作によって、電子機器本体を操作することができる。これにより、異常発生時に電子機器本体のシステムを再起動させるなどの手間と時間を必要としないため、異常発生による作業効率の低下を防ぐことができる。
【０００８】
この場合、電子機器本体は、複数の本体側操作子を備えており、ボード側操作子は、１のスイッチにより構成され、操作制御部は、１のスイッチの操作の仕方により、代用する本体側操作子を可変することが好ましい。
【０００９】
この場合、操作制御部は、１のスイッチの押下間隔、押下強度、押下時間、連続押下回数、電子機器本体に搭載された本体側操作子との同時押下、のうち少なくとも１の要因により、代用する本体側操作子を可変することが好ましい。
【００１０】
これらの構成によれば、１のスイッチの操作の仕方を変えることにより複数の操作を選択的にすることが実現可能であるできるため、装着ボードの小型化および低廉化を図ることができる。
【００１１】
この場合、操作者または操作内容を示す操作情報を取得する操作情報取得部をさらに備え、操作制御部は、操作情報取得部により取得した操作情報に応じて、電子機器本体の制御を行うか否かを可変するを行うことが好ましい。
【００１２】
この構成によれば、例えば、取得した操作情報に応じて、電子機器本体の操作制御を行うか（許可するか）否かを可変することができる。つまり例えば、操作情報から、操作者が所定の権限を有するものであると判別できた場合は、電子機器本体の制御操作を行い許可し、操作者が所定の権限を有しないと判別できた場合は、電子機器本体の制御操作を行わない許可しない、などの処理が考えられる。これにより、使用者権限が与えられていない者は、電子機器本体の制御操作が不可能になるため、結果的にセキュリティーの強化を図ることができる。
【００１３】
本発明の電子機器は、上記した装着ボードを装着可能な電子機器であって、本体側操作子と、本体側操作子の操作にしたがって、電子機器本体を制御する本体側制御部と、を備えたことを特徴とする。
【００１４】
この構成によれば、電子機器本体に何らかの異常が生じた場合でも、装着ボード側からの操作を行うことが可能な電子機器を実現することができる。
【００１５】
この場合、電子機器本体の動作状況を判別する動作状況判別部と、動作状況判別部の判別結果を出力する動作状況出力部と、をさらに備えていることが好ましい。
【００１６】
この構成によれば、ユーザーが、現在の動作状況を確認することができる。
なお、動作状況とは、電子機器本体に異常が発生しているか否か、またその異常の種類、ログ情報などを指す。
例えば、電子機器本体の現在の動作状況を操作者が動作状況出力部から確認することで、操作者が行いたい操作が実行可能か（他の動作が実行中でないか）を確認することができる。また、動作状況を出力するため、操作者は、現在行っている操作を確認することができる。
【００１７】
この場合、動作状況判別部は、装着ボードから操作制御部の操作信号を受信したとき、本体の動作状況を判別し、本体側制御部は、動作状況判別部の判別結果に応じて、操作信号を本体側操作子による操作信号と同様の扱いとするか否かを決定することが好ましい。
【００１８】
この構成によれば、例えば、動作状況（異常発生時と、それ以外の通常時など）に応じて、装着ボードからの操作信号を本体側操作子による操作信号と同様の扱いとするか否かを決定する電子機器本体の操作を行うか否かを可変することができる。つまり例えば、操作信号を受信したボード側操作子にて操作を行ったときに異常が発生している場合は、本体側操作子による操作信号と同様の扱いとし（電子機器本体の操作制御を可能とし）行い、異常が発生していない場合は、本体側操作子による操作信号と同様の扱いとし操作制御を行わない（ボード側での操作信号を無視する）、などの処理が考えられる。これにより、電子機器本体側の操作子による本体側操作と、装着ボード側のボード側操作子による操作指令との混同により、本体側操作を妨害してしまう等の問題を回避することができる。
【図面の簡単な説明】
【００１９】
【図１】第１実施形態に係るレシートプリンターの外観図である。
【図２】第１実施形態に係るレシートプリンターの制御ブロック図である。
【図３】第１実施形態に係るレシートプリンターおよびＰＯＳ端末の機能ブロック図である。
【図４】第１実施形態に係るボード側操作子による操作制御の一例を示す図である。
【図５】第１実施形態に係る装着ボードの本体制御処理を示すフローチャートである。
【図６】第２実施形態に係るレシートプリンターの機能ブロック図である。
【発明を実施するための形態】
【００２０】
以下、添付の図面を参照して、本発明の一実施形態に係る電子機器および装着ボードについて説明する。なお、本実施形態では電子機器として、スーパーマーケット等の小売店舗においてレシートを発行するレシートプリンターを例示する。
【００２１】
図１は、第１実施形態に係るレシートプリンター１の外観図である。レシートプリンター１は、ＰＯＳ（Point  Of  Sales）端末（図２参照）で処理した処理データを印刷するものであり、プリンター本体２および装着ボード３から成る。プリンター本体２は、ＰＯＳ端末から装着ボード３を介して処理データを取得し、これをレシート用紙に印刷する。また、プリンター本体２は、印刷済みのレシート５を、本体上部に設けられたレシート排出口４から排出する。
【００２２】
同図に示すように、プリンター本体２の背面（図示手前側）下部には、装着ボード３を装着するためのボード装着部６が設けられている。また、ボード装着部６の最奥部には、装着ボード３を電気的に接続するための装着ボード用インターフェイス７（以下、装着ボード用Ｉ／Ｆと記載と記載する）が設けられている。また、プリンター本体２の前面（図示奥側）には、本体側操作子３６および表示画面３５が設けられている（図２参照）。
【００２３】
一方、装着ボード３は、上記のプリンター本体２に対して着脱可能に構成され、その装着側（図示奥側）には、プリンター本体２と電気的に接続されるプリンター用インターフェイス２３（以下、プリンター用Ｉ／Ｆと記載と記載する）が設けられている。当該装着ボード３は、使用環境に応じたインターフェイス（周辺機器用インターフェイス）を提供するためのインターフェイスボードであり、上記装着側と逆側（図示手前側）の露出面には、周辺機器用インターフェイス２１として、ＵＳＢインターフェイス８，９、シリアルインターフェイス１０およびイーサネット（登録商標）インターフェイス１１が設けられている。その他、周辺機器用インターフェイス２１として、パラレルインターフェイスや無線ＬＡＮインターフェイス等を設けても良い。また、装着ボード３は、周辺機器用インターフェイス２１と同一の露出面に、ボード側操作子（スイッチ）２２を備えている。なお、露出面は、プリンター本体２に対する装着ボード３の装着によって、プリンター本体２の背面と面一となる。
【００２４】
次に、図２を参照し、第１実施形態に係るレシートプリンター１の制御構成について説明する。装着ボード３は、周辺機器用インターフェイス２１（以下、周辺機器用Ｉ／Ｆと記載する）、ボード側操作子２２、プリンター用Ｉ／Ｆ２３、ＣＰＵ（Central  Processing  Unit）２４、ＲＯＭ（Read  Only  Memory）２５およびＲＡＭ（Random  Access  Memory）２６を備えている。
【００２５】
周辺機器Ｉ／Ｆ２１は、図１に示したＵＳＢインターフェイス８，９、シリアルインターフェイス１０、イーサネット（登録商標）インターフェイス１１を指し、ＰＯＳ端末２９をはじめ、ディスプレイ装置、キーボード、キャッシュドロアおよびバーコードスキャナー等のような周辺機器を接続するために用いられる。ボード側操作子２２は、装着ボード３自身に対する操作の他、プリンター本体２に対する各種操作を行う。また、ボード側操作子２２は、ラッチ型（押下されると“０”、押下が解除されると“１”、押下され続けると“０”の状態が続くもの）の１のスイッチにより構成される。プリンター用Ｉ／Ｆ２３は、プリンター本体２と接続される専用インターフェイスであり、プリンター本体２に対して各種信号を送信する。
【００２６】
ＣＰＵ２４は、装着ボード３の統括制御を行う。ＲＡＭ２６は、ＣＰＵ２４が各種処理を実行する際のワークエリアとして用いられる。ＲＯＭ２５は、ＣＰＵ２４が各種処理を実行するための制御プログラムや制御データを記憶する。なお、以下の説明において、ＲＯＭ２５内の制御プログラムを記憶する領域を制御プログラム記憶領域２７、制御データを記憶する領域を制御データ記憶領域２８と称する。
【００２７】
一方、プリンター本体２は、ＣＰＵ３１、ＲＯＭ３２、ＲＡＭ３３、印刷機構３４、表示画面３５、本体側操作子３６および装着ボード用Ｉ／Ｆ７を備えている。ＣＰＵ３１は、プリンター本体２の統括制御を行う。ＲＯＭ３２は、ＣＰＵ３１が各種処理を実行するための制御プログラムや制御データを記憶する。ＲＡＭ３３は、ＣＰＵ３１が各種処理を実行する際のワークエリアとして用いられる。なお、これらＣＰＵ３１、ＲＯＭ３２およびＲＡＭ３３は、プリンター本体２内にＣＰＵボード３７として組み込まれている。
【００２８】
印刷機構３４は、ＰＯＳ端末２９の処理データをレシート用紙に印刷する。また、ユーザーの指令にしたがって、プリンター本体２の設定情報（通信設定、モード設定などの設定値）を出力する（印刷する）。表示画面３５は、液晶ディスプレイにより構成され、操作内容や、用紙切れなどのメッセージを表示する。また、印刷機構３４と同様に、ユーザーの指令にしたがって、プリンター本体２の設定情報を出力する（表示する）。本体側操作子３６は、電源のＯＮ／ＯＦＦ、モード切替、レシートの排出並びに設定情報の出力（印刷および／または表示）など、ユーザーが各種操作を行うために用いられる。また、本体側操作子３６は、プリンター本体２の各操作項目に対応する複数の操作子を有している。装着ボード用Ｉ／Ｆ７は、装着ボード３を接続するための専用インターフェイスであり、装着ボード３からの各種信号を受信する。
【００２９】
次に、図３を参照し、レシートプリンター１およびＰＯＳ端末２９の機能構成について説明する。ＰＯＳ端末２９は、主な機能構成として、会計処理部６１および印刷データ生成部６２を有している。
【００３０】
会計処理部６１は、ＰＯＳアプリケーションを有し、オペレーターにより入力された商品情報に基づいて会計処理を行う。また、印刷データ生成部６２は、会計処理部６１による会計処理結果に基づいて、レシート５に印刷するための印刷データを生成する。
【００３１】
装着ボード３は、主な機能構成として、印刷データ受信部４１、印刷データ送信部４２および操作制御部４３を有している。
【００３２】
印刷データ受信部４１は、ＰＯＳ端末２９の印刷データ生成部６２にて生成された印刷データを受信する。また、印刷データ送信部４２は、受信した印刷データを、プリンター用Ｉ／Ｆ２３を介してプリンター本体２に送信する。
【００３３】
操作制御部４３は、ボード側操作子２２の操作にしたがって、プリンター本体２に対し、プリンター本体２を制御する操作信号を送信する。また、操作制御部４３は、ボード側操作子２２の操作の仕方により、操作内容が可変する。ここで、「ボード側操作子２２の操作の仕方」とは、スイッチの押下間隔、押下強度、押下時間、連続押下回数、プリンター本体２に搭載された本体側操作子３６との同時押下、のうち少なくとも１の要因により定義される。なお、操作方法については、後に詳述する。
【００３４】
一方、プリンター本体２は、主な機能構成として、レシート印刷部５０、動作状況出力部５１、動作状況判別部５２および本体側制御部５３を有している。
【００３５】
レシート印刷部５０は、装着ボード用Ｉ／Ｆ７を介して、印刷データ送信部４２から送信された印刷データを受信し、これをレシート用紙に印刷する。
【００３６】
動作状況判別部５２は、現在のプリンター本体２の動作状況を判別する。動作状況判別部５２は、本体側操作子３６による判別指令、または装着ボード３からの判別指令に基づいて動作状況を判別する。また、装着ボード３からプリンター本体２の操作信号を受信したときにも、動作状況を判別する。なお、動作状況としては、プリンター本体２に異常が発生しているか否か、またその異常の種類、ログ情報などを判別する。
【００３７】
動作状況出力部５１は、動作状況判別部５２で判別された現在のプリンター本体２の動作状況を出力する。具体的には、表示画面３５への表示、および印刷機構３４による印刷、によって動作状況を出力する。
【００３８】
本体側制御部５３は、本体側操作子３６による操作信号、または装着ボード３からの操作信号に基づいてプリンター本体２の操作制御を行う。但し、装着ボード３から操作信号を受信した場合は、上記の動作状況判別部５２の判別結果に応じて操作制御を行う。具体的には、装着ボード３から操作信号を受信したときにプリンター本体２に異常が発生している場合は、装着ボード３からの操作信号をプリンター本体２側の操作信号と同様に扱い（操作信号を受け付け）、異常が発生していない場合は、装着ボード３からの操作信号に従わない（操作信号を無視する）、といった処理を行う。これにより、プリンター本体２側の本体側操作子３６による本体側操作と、装着ボード３側のボード側操作子２２による操作指令との混同により、本体側操作を妨害してしまうなどの問題を回避することができる。
【００３９】
次に、図４を参照し、装着ボード３によるプリンター本体２の操作について説明する。同図は装着ボード３のボード側操作子２２によるプリンター本体２の操作の一例である。
【００４０】
同図に示すように、ボード側操作子２２の押下（短押）する回数および、押下時間によって実行する操作項目が選択され実行される。同図の例では、ボード側操作子２２の短押１回で操作項目「用紙送り」、短押２回（連続２回押下）で操作項目「ソフトリセット」、長押（１秒以上押下）で操作項目「電源ＯＦＦ」を選択できる。
ここで、操作項目「用紙送り」とは、レシート用紙を一定の長さ分排出する操作のことである。また、項目「ソフトリセット」とは、プリンター本体２に蓄積されている印刷データ（ジョブ）を一時的にリセットして、新たな印刷データを受け付け可能な状態にする操作のことである。また、操作項目「電源ＯＦＦ」とは、プリンター本体２の現在の動作状況に関係なく、強制的にシステムをダウンさせる操作のことである。
【００４１】
なお、上記ボード側操作子２２の操作内容が操作制御部４３（図３参照）に認識されることで、プリンター本体２に操作信号が出力される。例えば、操作制御部４３がボード側操作子２２による２回短押の操作を認識することにより、「ソフトリセット」の操作信号をプリンター本体２に送信する。このように、１のスイッチであるボード側操作子２２の簡易的な操作によって、操作内容の選択および実行ができるため、表示画面３５（図２参照）に異常が発生している場合においても操作に支障が生じない。
【００４２】
次に、図５のフローチャートを参照し、装着ボード３の指令によるプリンター本体２の制御処理の手順について説明する。なお、プリンター本体２では異常が発生しており、本体側操作子３６は使用できなくなっているものとする。なお、このような事象は、ユーザーの誤った操作（ヒューマンエラー）や、プリンター本体２内の制御基板がハングしていたりする場合に起こり得る。
【００４３】
まず、装着ボード３は、ユーザーによるボード側操作子２２（スイッチ）の操作入力に基づいて（Ｓ０１）、操作内容を判別する（Ｓ０２）。また、判別した操作内容に基づいて、プリンター本体２に実行させる操作を判定し、プリンター本体２に対して操作信号を送信する（Ｓ０３）。
【００４４】
一方、プリンター本体２は、装着ボード３から操作信号を受信すると、動作状況を判別し（Ｓ０４）、判別した動作状況に応じて、操作信号の受付が可能であるか否かを判別する（Ｓ０５）。操作信号の受付が可能であると判別した場合（Ｓ０５：Ｙｅｓ）、プリンター本体２は装着ボード３からの操作信号に従って、操作を実行する（Ｓ０６）。また、操作信号の受付が可能でないと判別した場合は（Ｓ０５：Ｎｏ）、操作を実行することなく処理を終了する（操作信号を無視する）。
【００４５】
以上説明したとおり、第１実施形態によれば、プリンター本体２に何らかの不具合が発生し、本体側操作子３６による操作が不能となった場合でも、装着ボード３に設けられている、ボード側操作子２２からの操作によってプリンター本体２の操作が可能となる。すなわち、プリンター本体２の操作ができなくなることによる作業効率の悪化を防止することが可能となる。
【００４６】
また、本実施形態のように、装着ボード３のボード側操作子２２を１のスイッチにより構成し、スイッチの操作の仕方を変えることにより複数の操作項目についての操作を実現でき、装着ボード３の小型化を図ることができ、ひいてはレシートプリンター１の小型化を図ることができる。
【００４７】
また、本実施形態において、装着ボード３は、ＵＳＢインターフェイス８，９、シリアルインターフェイス１０およびイーサネット（登録商標）インターフェイス１１といった複数の周辺機器用Ｉ／Ｆ２１を備えることで、同時にプリンター本体２に対しても周辺機器を利用する環境を提供することができる。これにより、例えば動作状況を出力する際に、プリンター本体２に備えられている表示画面３５や、印刷機構３４からのみではなく、周辺機器用Ｉ／Ｆ２１を経由したメール、電話、ＦＡＸ等の周辺機器と連係することによる多様な通信手段を利用することができる。
【００４８】
また、本実施形態において、プリンター本体２が動作状況判別部５２を備え、現在のプリンター本体２の動作状況を判別すると共に、その判別結果に応じて、本体側制御部５３が操作処理を行うため、プリンター本体２側の本体側操作子３６による本体側操作と、装着ボード３側のボード側操作子２２による操作指令との混同することがない。これにより、本体側操作を妨害してしまうなどの問題を回避することができる。
【００４９】
なお、上記の実施形態では、ボード側操作子２２（１のスイッチ）の連続押下回数および押下時間によって、各項目を選択したが、押下間隔、押下強度、プリンター本体２に搭載された本体側操作子３６との同時押下、などの違いにより、各項目を選択可能としても良い。
【００５０】
また、上記の実施形態では、装着ボード３のボード側操作子２２を１のスイッチにより構成したが、本体側操作子３６と同様に、操作項目に対応する複数の操作子により構成しても良い。また、操作性を向上させるため、装着ボード３本体からスイッチを有線で引き出せる構成にしたり、装着ボード３に、キーボードやマウス、タッチパネル等を接続可能な構成にしても良い。
【００５１】
また、上記の実施形態において、動作状況出力部５１は、表示画面３５への表示および印刷機構３４による印刷によって動作状況の出力を行うとしたが、通信手段を用いた通知（ＬＡＮや電話回線を用いた通信など）を用いてもよい。この場合、プリンター本体２が通信手段を備えていることが前提となる。また、ボード側操作子２２の操作の仕方に応じて、動作状況の出力手段を選択可能としても良い。例えば、プリンター本体２に搭載された本体側操作子Ａとボード側操作子２２とが同時押下された場合は、表示手段（表示画面３５）のみ、本体側操作子Ｂとボード側操作子２２とが同時押下された場合は、全ての出力手段（表示画面３５、印刷機構３４および通信手段）を用いて動作状況を出力する、などが考えられる。
【００５２】
また、上記の実施形態において、プリンター本体２の本体側制御部５３は、異常が発生しているか否かに応じて操作制御を行ったが、異常が発生しているか否かだけでなく、その異常の種類やログ情報に応じて、操作を行うか否かを決定しても良い。例えば、ボード側操作子２２の同じ操作であっても、印刷機構３４に障害が発生している場合は、紙送りやハードリセットを行い、その他の致命的な障害が発生している場合は、電源切断を行う、などの制御が考えられる。また、異常の種類やログ情報に応じて、実行可能な操作信号を制限しても良い。
【００５３】
次に、図６を参照し、本発明の第２実施形態について説明する。上記の第１実施形態では、装着ボード３にＰＯＳ端末２９が接続される構成としたが、装着ボード３をＰＯＳ端末として機能させても良い。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５４】
図６は、第２実施形態に係るレシートプリンター１の機能ブロック図である。本実施形態のレシートプリンター１は、第１実施形態（図２参照）と比較して、装着ボード３から印刷データ受信部４１が省略され、会計処理部６１、印刷データ生成部６２および操作情報取得部４５が追加された構成となっている。会計処理部６１は、ＰＯＳアプリケーションを主要部として会計処理を行う。また、印刷データ生成部６２は、会計処理部６１による会計処理結果に応じて、レシートに印刷するための印刷データを生成する。このように、装着ボード３内をＰＯＳ端末２９として機能させることに伴い、ＰＯＳ端末２９を接続するためのインターフェイスが省略され、代わりに、会計処理用のキーボード７０を接続するためのインターフェイスが必要となる。また、イーサネット（登録商標）インターフェイス１１を経由してＰＯＳサーバーと通信可能となっている。さらに、装着ボード３の操作情報取得部４５は、後述する操作情報入力部７２の入力結果を取得し、操作制御部４３に出力する。
【００５５】
一方、キーボード７０は、商品情報入力部７１および操作情報入力部７２を有している。商品情報入力部７１は、オペレーターが商品情報を入力するために用いられる。装着ボード３の会計処理部６１は、商品情報入力部７１により入力された商品情報に基づいて、ＰＯＳサーバー内の商品マスタを参照し、商品データを取得する。操作情報入力部７２は、操作者または操作内容を示す操作情報を入力する。具体的には、キーボード７０に設けられた鍵（図示省略）の位置により操作情報を入力する。この鍵は、「店員」、「管理者」、「教育」および「精算」のいずれかの位置に合わせることができる。つまり、一般的な店員が操作する場合は、「店員」に位置合わせし、店長やマネージャーなどが操作する場合は「管理者」に位置合わせする。また、オペレーター教育のために用いる場合は「教育」に位置合わせし、精算時の処理を行う場合は「精算」に位置合わせする。
【００５６】
上記の構成により、本実施形態の操作制御部４３は、操作情報取得部４５により取得した操作情報に応じて、操作信号を出力するか否かを可変する。具体的には、鍵が「管理者」に位置合わせされた場合のみ、操作信号を出力する。これにより、管理者以外の者による操作を阻止することができる。
【００５７】
以上説明したとおり、第２実施形態によれば、取得した操作情報に応じて、操作を行うか否かを可変する。つまり、操作情報から、操作者が所定の権限を有するものであると判別できた場合は、操作を行い、操作者が所定の権限を有しないと判別できた場合は、操作を行わないため、使用者権限が与えられていない者は、プリンター本体２の操作が不可能となり、結果的にセキュリティーの強化を図ることができる。
【００５８】
なお、上記の実施形態では、キーボード７０の鍵の位置に基づいて操作情報を取得したが、操作者を特定できるＩＤカード等を読み取ることによって、操作情報を取得しても良い。
【００５９】
以上、２つの実施形態を示したが、本発明は、レシートプリンター１以外の電子機器にも適用可能である。例えば、レシートプリンター以外のプリンター、表示装置、プロジェクターなど、本体側操作子を有する電子機器が考えられる。
【００６０】
また、上記の各実施形態に示したレシートプリンター１（プリンター本体２または装着ボード３）の各部をプログラムとして提供することが可能である。また、そのプログラムを記録媒体（図示省略）に格納して提供することも可能である。すなわち、コンピューターを、本実施形態のプリンター本体２または装着ボード３の各部として機能させるためのプログラム、およびそれを記録した記録媒体も、本発明の権利範囲に含まれる。その他、本発明の要旨を逸脱しない範囲で、適宜変更が可能である。
【符号の説明】
【００６１】
１：レシートプリンター、  ２：プリンター本体、  ３：装着ボード、  ２２：ボード側操作子、  ４３：操作制御部、  ５１：動作状況出力部、  ５２：動作状況判別部、  ５３：本体側制御部
【図１】
2011194780.tif 000003
【図２】
2011194780.tif 000004
【図３】
2011194780.tif 000005
【図４】
2011194780.tif 000006
【図５】
2011194780.tif 000007
【図６】
2011194780.tif 000008